(57)【要約】【課題】  立体感があって装飾的に優れたエンボス化粧シート、およびこのようなエンボス化粧シートを簡単に、かつ、安価に製造することができるエンボス化粧シートの製造方法を提供する。【解決手段】    一面にエンボス模様が形成され、他面が平滑面とされた透明樹脂板２と、透明樹脂板２の平滑面２０に一面側が一体に積層されるとともに、他面側にエンボス模様が形成され、透明樹脂板２の屈折率と近似した屈折率の熱硬化性樹脂層３と、からなる基材シート４のいずれか一方のエンボス模様を加飾して隠蔽層５が設けられてなる。【選択図】図１
2006305810.tif 000002
【特許請求の範囲】
【請求項１】
一面にエンボス模様が形成され、他面が平滑面とされた透明樹脂板と、該透明樹脂板の平滑面に一面側が一体に積層されるとともに、他面側にエンボス模様が形成され、透明樹脂板の屈折率と近似した屈折率の熱硬化性樹脂層と、からなる基材シートのいずれか一方のエンボス模様を加飾して隠蔽層が設けられたことを特徴とするエンボス化粧シート。
【請求項２】
前記透明樹脂板が、ポリスチレンまたはメタクリル酸メチル重合物を主成分とし、また、前記熱硬化性樹脂が、エポキシ樹脂、ジアリルフタレート樹脂、不飽和ポリエステル樹脂のいずれか一つ、または、二つ以上の混合物であることを特徴とする請求項１記載のエンボス化粧シート。
【請求項３】
一面にエンボス模様が形成され、他面が平滑面とされた透明樹脂板を、エンボス模様に対応する模様が形成された型面を有する成形型に、透明樹脂板の平滑面を型面に対向させて配置するとともに、成形型と透明樹脂板の平滑面との間に、透明樹脂板の屈折率と近似した屈折率の熱硬化性樹脂を流し込んで硬化させた後、透明樹脂板と熱硬化性樹脂層が一体化された基材シートを脱型し、基材シートのいずれか一方のエンボス模様を加飾して隠蔽層を設けることを特徴とするエンボス化粧シートの製造方法。
【発明の詳細な説明】
【技術分野】
【０００１】
本発明は、エンボス模様が設けられた化粧シートおよびその製造方法に関する。
【背景技術】
【０００２】
木質系ボード類、無機系ボード類等と化粧シートとを接着剤等を介して貼り合わされる化粧板は、部屋の間仕切り等に使用されている。
【０００３】
この化粧板の化粧シートとしては、透明樹脂板の片面に模様印刷を施したものや、透明樹脂板の一面に模様印刷を施し、他面にエンボス模様を設けたもの（例えば、特許文献１参照。）が知られている。
【特許文献１】特開平９−２４５８５号公報
【発明の開示】
【発明が解決しようとする課題】
【０００４】
しかしながら、上記した従来の化粧シートにあっては、化粧シートに施された模様が平面的で立体感に乏しく、装飾的に劣るという欠点がある。
【０００５】
そこで、上記した従来の化粧シートに装飾用樹脂板を部分的に貼着して立体感を付与したものが提案されているが、化粧シートを生産するのに要する費用が高価になるといった問題があった。
【０００６】
本発明は、このような事情に鑑み創案されたもので、立体感があって装飾的に優れたエンボス化粧シートを提供するとともに、このエンボス化粧シートを簡単かつ安価に製造することのできるエンボス化粧シートの製造方法を提供するものである。
【課題を解決するための手段】
【０００７】
上記の目的を達成するため、本発明に係るエンボス化粧シートは、一面にエンボス模様が形成され、他面が平滑面とされた透明樹脂板と、該透明樹脂板の平滑面に一面側が一体に積層されるとともに、他面側にエンボス模様が形成され、透明樹脂板の屈折率と近似した屈折率の熱硬化性樹脂層と、からなる基材シートのいずれか一方のエンボス模様を加飾して隠蔽層が設けられたことを特徴とする。
【０００８】
この発明によれば、基材シートの表面と裏面の両面にエンボス模様が形成され、いずれか一方の面に隠蔽層が設けられているので、化粧シートに対する照明光の入射角度によってエンボス模様の陰影が異なることから、照明位置を変化させることにより、表面側エンボス模様が強調されて見えたり、裏面側エンボス模様が強調されて見える。このため、エンボス化粧シートは、立体感がある、装飾的に優れたものとなる。
【０００９】
また、透明樹脂板の屈折率と熱硬化性樹脂の屈折率とが近似しているので、透明樹脂板と熱硬化性樹脂層との密着面に境界が発生せず、基材シートが均質な透明板と見えるようになるので、基材シートの裏面のエンボス模様による陰影が見え易くなるため好適である。
【００１０】
本発明において、前記透明樹脂板を、ポリスチレンまたはメタクリル酸メチル重合物を主成分とし、また、前記熱硬化性樹脂を、エポキシ樹脂、ジアリルフタレート樹脂、不飽和ポリエステル樹脂のいずれか一つ、または、二つ以上の混合物とするとすると、基材シートの透明性を高めることができるので、裏面側エンボス模様による陰影を明瞭に視認することができ、好ましい。
【００１１】
本発明のエンボス化粧シートの製造方法は、一面にエンボス模様が形成され、他面が平滑面とされた透明樹脂板を、エンボス模様に対応する模様が形成された型面を有する成形型に、透明樹脂板の平滑面を型面に対向させて配置するとともに、成形型と透明樹脂板の平滑面との間に、透明樹脂板の屈折率と近似した屈折率の熱硬化性樹脂を流し込んで硬化させた後、透明樹脂板と熱硬化性樹脂層が一体化された基材シートを脱型し、基材シートのいずれか一方のエンボス模様を加飾して隠蔽層を設けることを特徴とするものである。
【００１２】
この結果、立体感のある、装飾的に優れたエンボス化粧シートを簡単に、かつ、安価に製造することができる。
【発明の効果】
【００１３】
本発明によれば、立体感があって装飾的に優れたエンボス化粧シートを得ることができる。
【００１４】
また、本発明によれば、立体感があって装飾的に優れたエンボス化粧シートを簡単に、かつ、安価に製造することができる。
【発明を実施するための最良の形態】
【００１５】
以下、本発明の実施の形態について、図を参照して説明する。
【００１６】
図１には、本実施形態のエンボス化粧シート１が示されている。
【００１７】
このエンボス化粧シート１は、一面にエンボス模様Ｙが形成され、他面が平滑面２０とされた透明樹脂板２と、該透明樹脂板２の平滑面２０に一面側が一体に積層されるとともに、他面側にエンボス模様Ｘが形成され、透明樹脂板２の屈折率と近似した屈折率の熱硬化性樹脂層３と、からなる基材シート４のエンボス模様Ｙを加飾して隠蔽層５が設けられて形成されている。
【００１８】
このようなエンボス化粧シート１によれば、照明位置によって看者にはエンボス模様Ｘ，Yのいずれか一方が強調されて視認される。すなわち、図３に示すように、照明位置Ａから照明して正面より観察すると、エンボス化粧シート１における基材シート４の表面側のエンボス模様Ｘの陰影が際立ち、裏面側のエンボス模様Ｙが見え難くなる。したがって、看者には、図２（ａ）に示すようなエンボス化粧シート１の表面側のエンボス模様Ｘが強調されて視認される。一方、照明位置Ｂから照明して正面より観察すると、エンボス化粧シート１における基材シート４の裏面側のエンボス模様Ｙの陰影が際立ち、表面側のエンボス模様Ｘが見え難くなる。したがって、看者には、図２（ｂ）に示すようなエンボス化粧シート１の裏面側のエンボス模様Ｙが強調されて視認される。
【００１９】
このように、エンボス化粧シート１は、基材シート４の表面および裏面にそれぞれエンボス模様Ｘ，Ｙを形成しているため、照明位置によって看者には表面側のエンボス模様Ｘが強調されて視認されたり、裏面側のエンボス模様Ｙが強調されて視認されるので、風情のある装飾効果を発揮することができ、立体感があって、装飾的に優れたものとなる。
【００２０】
なお、このエンボス化粧シート１は、その裏面の隠蔽層５側を木質系ボード類、無機系ボード類に接着剤等を介して貼り合わせ，適宜の大きさに切断して部屋の間仕切りなどに使用される。
【００２１】
次に、このようなエンボス化粧シート１の製造方法について説明する。
【００２２】
本実施形態では、図４に示すように、押し出し金型６ａから搬送されるポリスチレン樹脂押し出し板２ａを転写ロール６ｂによりエンボス模様Ｙを転写することにより透明樹脂板２を製造する。
【００２３】
なお、透明樹脂板２の製造方法は上記したものに限られるものではなく、例えば図５に示すように、エンボス模様Ｙに対応する模様を形成した型６ｃにポリスチレン樹脂押し出し板２ａを載置し、加熱した後、押圧板６ｄでポリスチレン樹脂押し出し板２ａを加圧することによりエンボス模様Ｙを転写してもよい。
【００２４】
次に、図６に示すように、エンボス模様Ｘに対応する模様Ｘ１が形成された型面を有する成形型７に透明樹脂板２の平滑面２０を対向させて配置する。
【００２５】
次いで、成形型７を傾けて、成形型７の下方からエポキシ樹脂を流し入れ、８０℃に加温してエポキシ樹脂を硬化させる、エポキシ樹脂が硬化した後、脱型すると、外表面３０にエンボス模様Ｘが形成された熱硬化性樹脂層３と透明樹脂板２とが一体化された基材シート４が得られる。
【００２６】
なお、基材シート４の表面と裏面に施すエンボス模様は、異なるものであっても、同じものであってもよい。
【００２７】
また、透明樹脂板２の平滑面２０に、熱硬化性樹脂との密着力を向上させるために、サンディング処理や梨地処理を施してもよい。
【００２８】
続いて、この基材シート４の裏面に、不飽和ポリエステル樹脂をベースとする塗料をスプレーガンを用いて塗装し、加熱炉に入れて硬化させて隠蔽層５を設ける。
【００２９】
なお、隠蔽層５を設けるのは、上記したスプレーガンを用いて塗料を吹き付ける方法に限られるものではなく、例えば、スクリーン印刷により印刷しても良い。また、隠蔽層５は、模様を施していてもよく、あるいは模様を施していない単色であってもよい。
【００３０】
また、透明樹脂板２として、アクリル樹脂押し出し板を用い、熱硬化性樹脂として不飽和ポリエステル樹脂を用い、６０℃に加温し、その後は上記と同様の工程によりエンボス化粧シート１を製造してもよい。その他、熱硬化性樹脂として、不飽和ポリエステル樹脂とジアリルフタレート樹脂の混合物を用いてもよい。
【産業上の利用可能性】
【００３１】
本発明は、立体感があって装飾的に優れたエンボス化粧シート、およびこのようなエンボス化粧シートを簡単に、かつ、安価に製造することができるエンボス化粧シートの製造方法に適用できる。
【図面の簡単な説明】
【００３２】
【図１】本発明に係るエンボス化粧シートの断面図である。
【図２】図１のエンボス化粧シートのエンボス模様を示す平面図である。
【図３】本発明に係るエンボス化粧シートの使用状態を説明する図である。
【図４】本発明に係るエンボス化粧シートの透明樹脂板の製造工程を示す概略図である。
【図５】本発明に係るエンボス化粧シートの透明樹脂板の製造工程の他の例を示す概略図である。
【図６】本発明に係るエンボス化粧シートの基材シートの製造工程を示す概略図である。
【符号の説明】
【００３３】
１      エンボス化粧シート
２      透明樹脂板
３      熱硬化性樹脂層
４      基材シート
５      隠蔽層
Ｘ，Ｙ  エンボス模様
【図１】
2006305810.tif 000003
【図２】
2006305810.tif 000004
【図３】
2006305810.tif 000005
【図４】
2006305810.tif 000006
【図５】
2006305810.tif 000007
【図６】
2006305810.tif 000008